【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局から、マスタ情報ブロック（ＭＩＢ）を受信することと、
前記ＭＩＢに少なくとも部分的に基づいて、物理ダウンリンク制御チャネル（ＰＤＣＣＨ）のための第１の共通探索空間を決定することと、
前記第１の共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
前記決定された第１の共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて第２の共通探索空間のリソース割振りを決定することと
を備える、方法。
【請求項２】
制御チャネル要素の前記監視されたセットに少なくとも部分的に基づいて共通ＰＤＣＣＨ（Ｃ−ＰＤＣＣＨ）を復号すること
をさらに備える、請求項１に記載の方法。
【請求項３】
前記ＭＩＢを受信することは、
前記ＭＩＢに対応するビットのセットを受信すること、ここにおいて、前記共通探索空間は、ビットの前記セットに少なくとも部分的に基づいて決定される、
を備える、請求項１に記載の方法。
【請求項４】
ビットの前記セットの少なくとも一部分が、拡張ＰＤＣＣＨ（ｅＰＤＣＣＨ）の送信モードを示す、請求項３に記載の方法。
【請求項５】
ビットの前記セットに少なくとも部分的に基づいて前記ＳＩＢ−ＭＦ１許可のロケーションを決定すること
をさらに備える、請求項４に記載の方法。
【請求項６】
前記ｅＰＤＣＣＨの前記送信モードが、分散送信モードまたは局所送信モードのうちの１つを備える、請求項４に記載の方法。
【請求項７】
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、請求項１に記載の方法。
【請求項８】
前記共通探索空間に少なくとも部分的に基づいてシステム情報ブロック（ＳＩＢ）、ランダムアクセスメッセージ、ページングメッセージ、送信電力制御（ＴＰＣ）９メッセージ、またはそれらの組合せを受信すること
をさらに備える、請求項１に記載の方法。
【請求項９】
制御チャネル要素の前記セットが固定のセットである、請求項１に記載の方法。
【請求項１０】
ワイヤレス通信のための方法であって、
拡張物理ダウンリンク制御チャネル（ｅＰＤＣＣＨ）のための第１の共通探索空間を識別することと、
共通物理ダウンリンク制御チャネル（Ｃ−ＰＤＣＣＨ）に前記第１の共通探索空間内の制御チャネル要素の第１のセットを割り振ることと、
マルチファイアシステム情報ブロック（ＳＩＢ−ＭＦ１）許可に前記第１の共通探索空間内の制御要素の第２のセットを割り振ることと、
第２の共通探索空間を識別することと、
ユーザ機器（ＵＥ）に、制御チャネル要素の前記割り振られたセットを介してダウンリンク制御情報（ＤＣＩ）を送信することと、ここにおいて、前記第２の共通探索空間の割り振られるリソースは、前記ＳＩＢ−ＭＦ１許可によってスケジュールされたＳＩＢ−ＭＦ１ペイロードに少なくとも部分的に基づいて識別される、
を備える、方法。
【請求項１１】
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること、ここにおいて、前記ＭＩＢのビットのセットが前記ｅＰＤＣＣＨの前記送信モードを示す、
をさらに備える、請求項１０に記載の方法。
【請求項１２】
ワイヤレス通信のための装置であって、
基地局から、マスタ情報ブロック（ＭＩＢ）を受信するための手段と、
前記ＭＩＢに少なくとも部分的に基づいて、物理ダウンリンク制御チャネル（ＰＤＣＣＨ）のための第１の共通探索空間を決定するための手段と、
前記第１の共通探索空間の制御チャネル要素のセットを監視するための手段と、
制御チャネル要素の前記監視されたセットに少なくとも部分的に基づいてシステム情報ブロック（ＳＩＢ）許可を復号するための手段と、ここにおいて、前記ＳＩＢ許可は、マルチファイア  ＳＩＢ（ＳＩＢ−ＭＦ１）許可である、
前記決定された第１の共通探索空間に少なくとも部分的に基づいて前記ＳＩＢ−ＭＦ１許可を復号するための手段と、
前記復号されたＳＩＢ−ＭＦ１によってスケジュールされたＳＩＢ−ＭＦ１ペイロードに少なくとも部分的に基づいて第２の共通探索空間のリソース割振りを決定するための手段と
を備える、装置。
【請求項１３】
ワイヤレス通信のための装置であって、
拡張物理ダウンリンク制御チャネル（ｅＰＤＣＣＨ）のための第１の共通探索空間を識別するための手段と、
共通物理ダウンリンク制御チャネル（Ｃ−ＰＤＣＣＨ）に前記共通探索空間内の制御チャネル要素の第１のセットを割り振るための手段と、
マルチファイアシステム情報ブロック（ＳＩＢ−ＭＦ１）許可に前記第１の共通探索空間内の制御要素の第２のセットを割り振るための手段と、
第２の共通探索空間を識別するための手段と、
ユーザ機器（ＵＥ）に、制御チャネル要素の前記割り振られたセットを介してダウンリンク制御情報（ＤＣＩ）を送信するための手段と、ここにおいて、前記第２の共通探索空間の割り振られるリソースは、前記ＳＩＢ−ＭＦ１許可によってスケジュールされたＳＩＢ−ＭＦ１ペイロードに少なくとも部分的に基づいて識別される、
を備える、装置。
【請求項１４】
ワイヤレス通信のためのコードを記憶する非一時的コンピュータ可読媒体であって、前記コードが、コンピュータによって実行されたとき、前記コンピュータに、請求項１〜９のいずれか一項に記載の方法を実行させる命令を備える、非一時的コンピュータ可読媒体。
【請求項１５】
ワイヤレス通信のためのコードを記憶する非一時的コンピュータ可読媒体であって、前記コードが、コンピュータによって実行されたとき、前記コンピュータに、請求項１０または１１に記載の方法を実行させる命令を備える、非一時的コンピュータ可読媒体。
【手続補正２】
【補正対象書類名】明細書
【補正対象項目名】０１７５
【補正方法】変更
【補正の内容】
【０１７５】
[0183]  本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
以下に本願発明の当初の特許請求の範囲に記載された発明を付記する。
［Ｃ１］
ワイヤレス通信のための方法であって、
基地局から、マスタ情報ブロック（ＭＩＢ）を受信することと、
前記ＭＩＢに少なくとも部分的に基づいて、物理ダウンリンク制御チャネル（ＰＤＣＣＨ）のための共通探索空間を決定することと、
前記共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
を備える、方法。
［Ｃ２］
制御チャネル要素の前記監視されたセットに少なくとも部分的に基づいて共通ＰＤＣＣＨ（Ｃ−ＰＤＣＣＨ）を復号すること
をさらに備える、Ｃ１に記載の方法。
［Ｃ３］
前記ＭＩＢを受信することは、
前記ＭＩＢに対応するビットのセットを受信すること、ここにおいて、前記共通探索空間は、ビットの前記セットに少なくとも部分的に基づいて決定される、
を備える、Ｃ１に記載の方法。
［Ｃ４］
ビットの前記セットの少なくとも一部分が、拡張ＰＤＣＣＨ（ｅＰＤＣＣＨ）の送信モードを示す、Ｃ３に記載の方法。
［Ｃ５］
ビットの前記セットに少なくとも部分的に基づいて前記ＳＩＢ−ＭＦ１許可のロケーションを決定すること
をさらに備える、Ｃ４に記載の方法。
［Ｃ６］
前記ｅＰＤＣＣＨの前記送信モードが、分散送信モードまたは局所送信モードのうちの１つを備える、Ｃ４に記載の方法。
［Ｃ７］
前記決定された共通探索空間と重複する第２の共通探索空間を識別すること
をさらに備える、Ｃ１に記載の方法。
［Ｃ８］
前記第２の共通探索空間を識別することが、
前記決定された共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて前記第２の共通探索空間のリソース割振りを決定することと
を備える、Ｃ７に記載の方法。
［Ｃ９］
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、Ｃ７に記載の方法。
［Ｃ１０］
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信すること
をさらに備える、Ｃ１に記載の方法。
［Ｃ１１］
制御チャネル要素の前記セットが固定のセットである、Ｃ１に記載の方法。
［Ｃ１２］
ワイヤレス通信のための方法であって、
拡張物理ダウンリンク制御チャネル（ｅＰＤＣＣＨ）のための共通探索空間を識別することと、
共通物理ダウンリンク制御チャネル（Ｃ−ＰＤＣＣＨ）に前記共通探索空間内の制御チャネル要素の第１のセットを割り振ることと、
ユーザ機器（ＵＥ）に、制御チャネル要素の前記割り振られたセットを介してダウンリンク制御情報（ＤＣＩ）を送信することと
を備える、方法。
［Ｃ１３］
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振ること
をさらに備える、Ｃ１２に記載の方法。
［Ｃ１４］
前記識別された共通探索空間と重複する第２の共通探索空間を識別すること、ここにおいて、前記第２の共通探索空間が、タイプ−１  ＤＣＩに関連付けられ、前記識別された共通探索空間が、タイプ−０  ＤＣＩに関連付けられる、
をさらに備える、Ｃ１２に記載の方法。
［Ｃ１５］
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること
をさらに備える、Ｃ１２に記載の方法。
［Ｃ１６］
前記ＭＩＢのビットのセットが前記ｅＰＤＣＣＨの前記送信モードを示す、Ｃ１５に記載の方法。
［Ｃ１７］
ワイヤレス通信のための装置であって、
基地局から、マスタ情報ブロック（ＭＩＢ）を受信するための手段と、
前記ＭＩＢに少なくとも部分的に基づいて、物理ダウンリンク制御チャネル（ＰＤＣＣＨ）のための共通探索空間を決定するための手段と、
前記共通探索空間の制御チャネル要素のセットを監視するための手段と、
制御チャネル要素の前記監視されたセットに少なくとも部分的に基づいてシステム情報ブロック（ＳＩＢ）許可を復号するための手段と、ここにおいて、前記ＳＩＢ許可は、マルチファイア  ＳＩＢ（ＳＩＢ−ＭＦ１）許可である、
を備える、装置。
［Ｃ１８］
制御チャネル要素の前記監視されたセットに少なくとも部分的に基づいて共通ＰＤＣＣＨ（Ｃ−ＰＤＣＣＨ）を復号するための手段
をさらに備える、Ｃ１７に記載の装置。
［Ｃ１９］
前記ＭＩＢを受信するための前記手段は、
前記ＭＩＢに対応するビットのセットを受信するための手段、ここにおいて、前記共通探索空間は、ビットの前記セットに少なくとも部分的に基づいて決定される、
を備える、Ｃ１７に記載の装置。
［Ｃ２０］
ビットの前記セットの少なくとも一部分が、拡張ＰＤＣＣＨ（ｅＰＤＣＣＨ）の送信モードを示す、Ｃ１９に記載の装置。
［Ｃ２１］
ビットの前記セットに少なくとも部分的に基づいて前記ＳＩＢ−ＭＦ１許可のロケーションを決定するための手段
をさらに備える、Ｃ２０に記載の装置。
［Ｃ２２］
前記ｅＰＤＣＣＨの前記送信モードが、分散送信モードまたは局所送信モードのうちの１つを備える、Ｃ２０に記載の装置。
［Ｃ２３］
前記決定された共通探索空間と重複する第２の共通探索空間を識別するための手段
をさらに備える、Ｃ１７に記載の装置。
［Ｃ２４］
前記第２の共通探索空間を識別するための前記手段が、
前記決定された共通探索空間に少なくとも部分的に基づいて前記ＳＩＢ−ＭＦ１許可を復号するための手段と、
前記復号されたＳＩＢ−ＭＦ１許可によってスケジュールされたＳＩＢ−ＭＦ１ペイロードに少なくとも部分的に基づいて前記第２の共通探索空間のリソース割振りを決定するための手段と
を備える、Ｃ２３に記載の装置。
［Ｃ２５］
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、Ｃ２３に記載の装置。
［Ｃ２６］
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信するための手段
をさらに備える、Ｃ１７に記載の装置。
［Ｃ２７］
制御チャネル要素の前記セットが固定のセットである、Ｃ１７に記載の装置。
［Ｃ２８］
ワイヤレス通信のための装置であって、
拡張物理ダウンリンク制御チャネル（ｅＰＤＣＣＨ）のための共通探索空間を識別するための手段と、
共通物理ダウンリンク制御チャネル（Ｃ−ＰＤＣＣＨ）に前記共通探索空間内の制御チャネル要素の第１のセットを割り振るための手段と、
ユーザ機器（ＵＥ）に、制御チャネル要素の前記割り振られたセットを介してダウンリンク制御情報（ＤＣＩ）を送信するための手段と
を備える、装置。
［Ｃ２９］
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振るための手段
をさらに備える、Ｃ２８に記載の装置。
［Ｃ３０］
前記識別された共通探索空間と重複する第２の共通探索空間を識別するための手段、ここにおいて、前記第２の共通探索空間が、タイプ−１  ＤＣＩに関連付けられ、前記識別された共通探索空間が、タイプ−０  ＤＣＩに関連付けられる、
をさらに備える、Ｃ２８に記載の装置。
［Ｃ３１］
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信するための手段
をさらに備える、Ｃ２８に記載の装置。
［Ｃ３２］
前記ＭＩＢのビットのセットが前記ｅＰＤＣＣＨの送信モードを示す、Ｃ３１に記載の装置。
［Ｃ３３］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
基地局から、マスタ情報ブロック（ＭＩＢ）を受信することと、
前記ＭＩＢに少なくとも部分的に基づいて、物理ダウンリンク制御チャネル（ＰＤＣＣＨ）のための共通探索空間を決定することと、
前記共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
を行わせるように動作可能である、装置。
［Ｃ３４］
前記命令が、
制御チャネル要素の前記監視されたセットに少なくとも部分的に基づいて共通ＰＤＣＣＨ（Ｃ−ＰＤＣＣＨ）を復号すること
を行うように前記プロセッサによってさらに実行可能である、Ｃ３３に記載の装置。
［Ｃ３５］
前記ＭＩＢを受信するように前記プロセッサによって実行可能な前記命令は、
前記ＭＩＢに対応するビットのセットを受信すること、ここにおいて、前記共通探索空間は、ビットの前記セットに少なくとも部分的に基づいて決定される、
を行うように前記プロセッサによって実行可能な命令をさらに備える、Ｃ３３に記載の装置。
［Ｃ３６］
ビットの前記セットの少なくとも一部分が、拡張ＰＤＣＣＨ（ｅＰＤＣＣＨ）の送信モードを示す、Ｃ３５に記載の装置。
［Ｃ３７］
前記命令が、
ビットの前記セットに少なくとも部分的に基づいて前記ＳＩＢ−ＭＦ１許可のロケーションを決定すること
を行うように前記プロセッサによってさらに実行可能である、Ｃ３６に記載の装置。
［Ｃ３８］
前記ｅＰＤＣＣＨの前記送信モードが、分散送信モードまたは局所送信モードのうちの１つを備える、Ｃ３６に記載の装置。
［Ｃ３９］
前記命令が、
前記決定された共通探索空間と重複する第２の共通探索空間を識別すること
を行うように前記プロセッサによってさらに実行可能である、Ｃ３３に記載の装置。
［Ｃ４０］
前記第２の共通探索空間を識別するように前記プロセッサによって実行可能な前記命令は、
前記決定された共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて前記第２の共通探索空間のリソース割振りを決定することと
を行うように前記プロセッサによって実行可能な命令をさらに備える、Ｃ３９に記載の装置。
［Ｃ４１］
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、Ｃ３９に記載の装置。
［Ｃ４２］
前記命令が、
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信すること
を行うように前記プロセッサによってさらに実行可能である、Ｃ３３に記載の装置。
［Ｃ４３］
制御チャネル要素の前記セットが固定のセットである、Ｃ３３に記載の装置。
［Ｃ４４］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
拡張物理ダウンリンク制御チャネル（ｅＰＤＣＣＨ）のための共通探索空間を識別することと、
共通物理ダウンリンク制御チャネル（Ｃ−ＰＤＣＣＨ）に前記共通探索空間内の制御チャネル要素の第１のセットを割り振ることと、
ユーザ機器（ＵＥ）に、制御チャネル要素の前記割り振られたセットを介してダウンリンク制御情報（ＤＣＩ）を送信することと
を行わせるように動作可能である、装置。
［Ｃ４５］
前記命令が、
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振ること
を行うように前記プロセッサによってさらに実行可能である、Ｃ４４に記載の装置。
［Ｃ４６］
前記命令が、
前記識別された共通探索空間と重複する第２の共通探索空間を識別すること、ここにおいて、前記第２の共通探索空間が、タイプ−１  ＤＣＩに関連付けられ、前記識別された共通探索空間が、タイプ−０ダウンリンク制御ＤＣＩに関連付けられる、
を行うように前記プロセッサによってさらに実行可能である、Ｃ４４に記載の装置。
［Ｃ４７］
前記命令が、
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること
を行うように前記プロセッサによってさらに実行可能である、Ｃ４４に記載の装置。
［Ｃ４８］
前記ＭＩＢのビットのセットが前記ｅＰＤＣＣＨの前記送信モードを示す、Ｃ４７に記載の装置。
［Ｃ４９］
ワイヤレス通信のためのコードを記憶する非一時的コンピュータ可読媒体であって、前記コードが、
基地局から、マスタ情報ブロック（ＭＩＢ）を受信することと、
前記ＭＩＢに少なくとも部分的に基づいて、物理ダウンリンク制御チャネル（ＰＤＣＣＨ）のための共通探索空間を決定することと、
前記共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
を行うようにプロセッサによって実行可能な命令を備える、非一時的コンピュータ可読媒体。
［Ｃ５０］
前記命令が、
制御チャネル要素の前記監視されたセットに少なくとも部分的に基づいて共通ＰＤＣＣＨ（Ｃ−ＰＤＣＣＨ）を復号すること
を行うように前記プロセッサによってさらに実行可能である、Ｃ４９に記載の非一時的コンピュータ可読媒体。
［Ｃ５１］
前記ＭＩＢを受信するように前記プロセッサによって実行可能な前記命令が、
前記ＭＩＢに対応するビットのセットを受信すること、ここにおいて、前記共通探索空間は、ビットの前記セットに少なくとも部分的に基づいて決定される、
を行うように前記プロセッサによって実行可能な命令をさらに備える、Ｃ４９に記載の非一時的コンピュータ可読媒体。
［Ｃ５２］
ビットの前記セットの少なくとも一部分が、拡張ＰＤＣＣＨ（ｅＰＤＣＣＨ）の送信モードを示す、Ｃ５１に記載の非一時的コンピュータ可読媒体。
［Ｃ５３］
前記命令が、
ビットの前記セットに少なくとも部分的に基づいて前記ＳＩＢ−ＭＦ１許可のロケーションを決定すること
を行うように前記プロセッサによってさらに実行可能である、Ｃ５２に記載の非一時的コンピュータ可読媒体。
［Ｃ５４］
前記ｅＰＤＣＣＨの前記送信モードが、分散送信モードまたは局所送信モードのうちの１つを備える、Ｃ５２に記載の非一時的コンピュータ可読媒体。
［Ｃ５５］
前記命令が、
前記決定された共通探索空間と重複する第２の共通探索空間を識別すること
を行うように前記プロセッサによってさらに実行可能である、Ｃ４９に記載の非一時的コンピュータ可読媒体。
［Ｃ５６］
前記第２の共通探索空間を識別するように前記プロセッサによって実行可能な前記命令が、
前記決定された共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて前記第２の共通探索空間のリソース割振りを決定することと
を行うように前記プロセッサによって実行可能な命令をさらに備える、Ｃ５５に記載の非一時的コンピュータ可読媒体。
［Ｃ５７］
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、Ｃ５５に記載の非一時的コンピュータ可読媒体。
［Ｃ５８］
前記命令が、
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信すること
を行うように前記プロセッサによってさらに実行可能である、Ｃ４９に記載の非一時的コンピュータ可読媒体。
［Ｃ５９］
制御チャネル要素の前記セットが固定のセットである、Ｃ４９に記載の非一時的コンピュータ可読媒体。
［Ｃ６０］
ワイヤレス通信のためのコードを記憶する非一時的コンピュータ可読媒体であって、前記コードが、
拡張物理ダウンリンク制御チャネル（ｅＰＤＣＣＨ）のための共通探索空間を識別することと、
共通物理ダウンリンク制御チャネル（Ｃ−ＰＤＣＣＨ）に前記共通探索空間内の制御チャネル要素の第１のセットを割り振ることと、
ユーザ機器（ＵＥ）に、制御チャネル要素の前記割り振られたセットを介してダウンリンク制御情報（ＤＣＩ）を送信することと
を行うようにプロセッサによって実行可能な命令を備える、非一時的コンピュータ可読媒体。
［Ｃ６１］
前記命令が、
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振ること
を行うように前記プロセッサによってさらに実行可能である、Ｃ６０に記載の非一時的コンピュータ可読媒体。
［Ｃ６２］
前記命令が、
前記識別された共通探索空間と重複する第２の共通探索空間を識別すること、ここにおいて、前記第２の共通探索空間が、タイプ−１  ＤＣＩに関連付けられ、前記識別された共通探索空間が、タイプ−０  ＤＣＩに関連付けられる、
を行うように前記プロセッサによってさらに実行可能である、Ｃ６０に記載の非一時的コンピュータ可読媒体。
［Ｃ６３］
前記命令が、
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること
を行うように前記プロセッサによってさらに実行可能である、Ｃ６０に記載の非一時的コンピュータ可読媒体。
［Ｃ６４］
前記ＭＩＢのビットのセットが前記ｅＰＤＣＣＨの送信モードを示す、Ｃ６３に記載の非一時的コンピュータ可読媒体。